(57)【要約】      （修正有）【課題】ログインしたユーザに固有のアプリ選択画面を表示させる場合に、ユーザが利用可能なアプリを選択するための選択ボタンを選択画面に表示する使い勝手の良い画像処理装置等を提供する。【解決手段】マイパネル情報をサーバから取得し、ユーザが利用を許可されているアプリの存在の有無を判断する。存在する場合、アプリが登録手段に登録され又はツールが登録されている第１のアプリか、登録されていないが登録されることにより又はツールが登録されることにより利用可能となる第２のアプリかが判断される。第１のアプリである場合、第１のアプリを選択するための第１の選択ボタンが表示手段に表示され、第２のアプリであると判断された場合、第２のアプリを選択するための第２の選択ボタンが表示される。同時に第２のアプリまたはアプリツールが取得され登録手段に登録される。【選択図】図９
2012168820.tif 000002
【特許請求の範囲】
【請求項１】
ユーザが利用を許可されているアプリケーションと該アプリケーションを利用できる画像処理装置を示すマイパネル情報が保存されているサーバから、ログインしているユーザの前記マイパネル情報を取得するマイパネル情報取得手段と、
前記マイパネル情報取得手段により取得した前記ユーザのマイパネル情報に基づいて、ユーザが自装置で利用を許可されているアプリケーションが存在するか否かを判断する第１の判断手段と、
アプリケーションまたはアプリケーションを利用するためのアプリケーションツールを登録する登録手段と、
前記第１の判断手段により、前記ユーザが自装置で利用を許可されているアプリケーションが存在すると判断された場合、そのアプリケーションが、前記登録手段に登録されあるいはアプリケーションツールが登録されている第１のアプリケーションか、前記登録手段に登録されていないが登録されることによりあるいはアプリケーションツールが登録されることにより利用可能となる第２のアプリケーションかを判断する第２の判断手段と、
表示手段と、
前記第２の判断手段により、前記アプリケーションが第１のアプリケーションであると判断された場合、該第１のアプリケーションを選択するための第１の選択ボタンを前記表示手段に表示し、前記第２のアプリケーションであると判断された場合、該第２のアプリケーションを選択するための第２の選択ボタンを前記表示手段に表示するとともに、前記第２のアプリケーションまたはアプリケーションツールを外部から取得して前記登録手段に登録する制御手段と、
を備えたことを特徴とする画像処理装置。
【請求項２】
前記制御手段は、前記第１の選択ボタンと前記第２の選択ボタンを異なる表示形態で表示手段に表示する請求項１に記載の画像処理装置。
【請求項３】
前記制御手段により前記第２のアプリケーションまたはアプリケーションツールが前記登録手段に登録される前に、前記表示手段に表示された前記第２の選択ボタンが前記ユーザにより選択された場合には、前記制御手段は、第２のアプリケーションまたはアプリケーションツールを登録中であることを表示手段に表示する請求項１または２に記載の画像処理装置。
【請求項４】
前記制御手段は、第２のアプリケーションまたはアプリケーションツールの登録後は、前記第２の選択ボタンの表示形態を変更する請求項１〜３のいずれかに記載の画像処理装置。
【請求項５】
前記第１の判断手段は、自装置での利用を許可されていない第３のアプリケーションが存在するか否かを判断し、存在すると判断された場合は、前記制御手段は、前記第３のアプリケーションに対応する第３の選択ボタンを、前記第３のアプリケーションを利用できないことを前記ユーザが認識可能な態様で前記表示手段に表示する請求項１〜４のいずれかに記載の画像処理装置。
【請求項６】
前記制御手段は、他の画像処理装置からその画像処理装置に登録されているアプリケーションまたはアプリケーションツールについての登録情報を取得し、
前記第２の判断手段は、前記取得された登録情報に基づいて、前記ユーザが前記第３のアプリケーションを利用できる他の画像処理装置の有無を判断する請求項５に記載の画像処理装置。
【請求項７】
前記表示手段に表示された前記第３の選択ボタンが前記ユーザにより選択された場合には、前記制御手段は、前記ユーザが第３のアプリケーションを利用できる前記他の画像処理装置の情報を表示させる請求項６に記載の画像処理装置。
【請求項８】
ユーザが利用を許可されているアプリケーションと該アプリケーションを利用できる画像処理装置を示すマイパネル情報が保存されているサーバから、ログインしているユーザの前記マイパネル情報を取得するマイパネル情報取得ステップと、
前記マイパネル情報取得ステップにおいて取得した前記ユーザのマイパネル情報に基づいて、ユーザが自装置で利用を許可されているアプリケーションが存在するか否かを判断する第１の判断ステップと、
アプリケーションまたはアプリケーションを利用するためのアプリケーションツールを登録手段に登録する登録ステップと、
前記第1の判断ステップにおいて、前記ユーザが自装置で利用を許可されているアプリケーションが存在すると判断された場合、そのアプリケーションが、前記登録手段に登録されあるいはアプリケーションツールが登録されている第１のアプリケーションか、前記登録手段に登録されていないが登録されることによりあるいはアプリケーションツールが登録されることにより利用可能となる第２のアプリケーションかを判断する第２の判断ステップと、
前記第２の判断ステップにおいて、前記アプリケーションが第１のアプリケーションであると判断された場合、該第１のアプリケーションを選択するための第１の選択ボタンを表示手段に表示し、前記第２のアプリケーションであると判断された場合、該第２のアプリケーションを選択するための第２の選択ボタンを表示手段に表示するとともに、前記第２のアプリケーションまたはアプリケーションツールを外部から取得して前記登録手段に登録する制御ステップと、
を備えたことを特徴とする、画像処理装置が実行するアプリケーション選択用画面の表示制御方法。
【請求項９】
ユーザが利用を許可されているアプリケーションと該アプリケーションを利用できる画像処理装置を示すマイパネル情報が保存されているサーバから、ログインしているユーザの前記マイパネル情報を取得するマイパネル情報取得ステップと、
前記マイパネル情報取得ステップにおいて取得した前記ユーザのマイパネル情報に基づいて、ユーザが自装置で利用を許可されているアプリケーションが存在するか否かを判断する第１の判断ステップと、
アプリケーションまたはアプリケーションを利用するためのアプリケーションツールを登録手段に登録する登録ステップと、
前記第１の判断ステップにおいて、前記ユーザが自装置で利用を許可されているアプリケーションが存在すると判断された場合、そのアプリケーションが、前記登録手段に登録されあるいはアプリケーションツールが登録されている第１のアプリケーションか、前記登録手段に登録されていないが登録されることによりあるいはアプリケーションツールが登録されることにより利用可能となる第２のアプリケーションかを判断する第２の判断ステップと、
前記第２の判断ステップにおいて、前記アプリケーションが第１のアプリケーションであると判断された場合、該第１のアプリケーションを選択するための第１の選択ボタンを表示手段に表示し、前記第２のアプリケーションであると判断された場合、該第２のアプリケーションを選択するための第２の選択ボタンを表示手段に表示するとともに、前記第２のアプリケーションまたはアプリケーションツールを外部から取得して前記登録手段に登録する制御ステップと、
を画像処理装置のコンピュータに実行させるためのアプリケーション選択用画面の表示制御プログラム。
【請求項１０】
前記制御ステップでは、前記第１の選択ボタンと前記第２の選択ボタンを異なる表示形態で表示手段に表示する処理を前記コンピュータに実行させる請求項９に記載の表示制御プログラム。
【請求項１１】
前記制御ステップにおいて前記第２のアプリケーションまたはアプリケーションツールが前記登録手段に登録される前に、前記表示手段に表示された前記第２の選択ボタンが前記ユーザにより選択された場合には、前記制御ステップでは、第２のアプリケーションまたはアプリケーションツールを登録中であることを表示手段に表示する処理を前記コンピュータに実行させる請求項９または１０に記載の表示制御プログラム。
【請求項１２】
前記制御ステップでは、第２のアプリケーションまたはアプリケーションツールの登録後は、前記第２の選択ボタンの表示形態を変更する処理を前記コンピュータに実行させる請求項９〜１１のいずれかに記載の表示制御プログラム。
【請求項１３】
前記第１の判断ステップでは、自装置での利用を許可されていない第３のアプリケーションが存在するか否かを判断し、存在すると判断された場合は、前記制御手段ステップでは、前記第３のアプリケーションに対応する第３の選択ボタンを、前記第３のアプリケーションを利用できないことを前記ユーザが認識可能な態様で前記表示手段に表示する処理を前記コンピュータに実行させる請求項９〜１２のいずれかに記載の表示制御プログラム。
【請求項１４】
前記制御ステップでは、他の画像処理装置からその画像処理装置に登録されているアプリケーションまたはアプリケーションツールについての登録情報を取得し、
前記第２の判断ステップでは、前記取得された登録情報に基づいて、前記ユーザが前記第３のアプリケーションを利用できる他の画像処理装置の有無を判断する処理を前記コンピュータに実行させる請求項１３に記載の表示制御プログラム。
【請求項１５】
前記表示手段に表示された前記第３の選択ボタンが前記ユーザにより選択された場合には、前記制御ステップでは、前記ユーザが第３のアプリケーションを利用できる前記他の画像処理装置の情報を表示する処理を前記コンピュータに実行させる請求項１４に記載の表示制御プログラム。
【発明の詳細な説明】
【技術分野】
【０００１】
この発明は、サーバからアプリケーションを取得して登録することにより、あるいはサーバ上のアプリケーションを利用するためのアプリケーションツールを登録することにより、ユーザが前記アプリケーションを利用可能な画像処理装置、該画像処理装置で実行されるアプリケーション選択画面の表示制御方法、及び前記画像処理装置のコンピュータに前記表示制御方法を実行させるための表示制御プログラムに関する。
【背景技術】
【０００２】
例えば、ＭＦＰ（Multi Function Peripherals）と称される多機能デジタル複合機等からなる画像処理装置として、ログインしたユーザのライセンス等に基づいてアプリケーションサーバから所定のアプリケーションを取得するとともに、この取得したアプリケーションを登録しインストールして利用できる画像処理装置が知られている。また、アプリケーションの種類等によっては、アプリケーションそのものを取得して登録するのではなく、サーバ上のアプリケーションを利用するためにアプリケーションに対する設定等を行うためのソフトウェアであるアプリケーションツールを取得して画像処理装置に登録しインストールし、このアプリケーションツールを用いてサーバ上のアプリケーションを利用することも行われている。
【０００３】
さらに、ユーザが利用可能なアプリケーションを選択するための選択ボタンを並べて表示したアプリケーション選択画面を、ユーザ毎にカスタマイズして提供するシステムも存在する。この場合、ユーザが通常利用する画像処理装置とは異なる他の画像処理装置にログインした場合にも、同一のアプリケーション選択画面が表示されるように、前記アプリケーションサーバと同一のサーバあるいは異なるサーバに、各ユーザが利用可能なアプリケーションを示すマイパネル情報を登録しておくシステムが提供されている。このシステムでは、ユーザが画像処理装置にログインすると、画像処理装置は前記マイパネル情報が登録されているサーバに接続してログインユーザのマイパネル情報を取得し、取得したマイパネル情報に基づいてアプリケーション選択画面を構築し、画像処理装置の操作パネルに表示するものとなされている。
【０００４】
しかし、ユーザが通常使用する画像処理装置とは異なる画像処理装置を使用したような場合、その画像処理装置にユーザが利用できるアプリケーションが登録されていないことがあり、その場合、前記マイパネル情報に基づいて表示されたアプリケーション選択画面に、前記利用できないアプリケーションを選択するための選択ボタンが表示されることもある。
【０００５】
なお、特許文献１には、マルチファンクション装置に必要なメモリ容量を減らしコストを下げることを可能にしたマルチファンクション・システムおよびその制御方法が記載されている。具体的には、マルチファンクション装置に必要なシステムプログラムが未登録の場合に、他のマルチファンクション装置やファイルサーバにそのプログラムがあるか検索し、代行処理又はプログラムのダウンロードを行うことが記載されている。
【０００６】
また特許文献２には、ユーザに対して、画像処理装置においてユーザが望むと考えられる機能を予測して提示することのできる画像処理装置であって、アウェイＭＦＰのログインユーザが、ホームＭＦＰにおいてＰＤＦフォーマットを利用していた場合であって、ホームＭＦＰがコンパクトＰＤＦ変換の機能を持たず、かつ、アウェイＭＦＰがコンパクトＰＤＦ変換の機能を持つ場合、ログインユーザがアウェイＭＦＰを利用する際には、コンパクトＰＤＦ変換という機能を利用するプログラムキー（コンパクトＰＤＦ）が、自動的に生成され、プログラムキー表示部に表示されることが開示されている。
【０００７】
また、特許文献３には、ネットワーク上で複数の印刷装置と接続されているときに、ユーザの印刷設定に従って最も良く処理を行える装置を選択し、選択された装置をお気に入りとして登録できる技術が開示されている。
【先行技術文献】
【特許文献】
【０００８】
【特許文献１】特開２００１−１０１１０６号公報
【特許文献２】特開２００６−３５２２０５号公報
【特許文献３】特開２００８−１８６４６５号公報
【発明の概要】
【発明が解決しようとする課題】
【０００９】
このように、従来では、ユーザが通常使用する画像処理装置とは異なる画像処理装置にログインして、ユーザ固有のアプリケーション選択画面を表示させた場合に、実際には利用できないアプリケーションを選択するための選択ボタンも、利用可能な選択ボタンと同様に表示されてしまうことがあり、使い勝手が良くなかった。
【００１０】
なお、ユーザが利用を許可されているアプリケーションのうち、ログインした画像処理装置に登録されているもののみを選択できるように、選択ボタンの表示を制限することも考えられるが、この場合は、画像処理装置にアプリケーションまたはアプリケーションツールが登録されていないが、これらが登録されれば利用できるアプリケーションを選択するための選択ボタンは表示されないことになり、やはり使い勝手が良くない。
【００１１】
なお、前述した特許文献１〜３に記載の技術は、上記の課題に対して解決策を提供しうるものではなかった。
【００１２】
この発明は、このような技術的背景に鑑みてなされたものであって、ログインしたユーザに固有のアプリケーション選択画面を表示手段に表示させる場合に、ユーザが利用可能なアプリケーションを選択するための選択ボタンを選択画面に表示することができる使い勝手の良い画像処理装置を提供し、さらには該画像処理装置で実行されるアプリケーション選択画面の表示制御方法、及び前記画像処理装置のコンピュータに前記表示制御方法を実行させるための表示制御プログラムを提供することを課題とする。
【課題を解決するための手段】
【００１３】
上記課題は、以下の手段によって解決される。
（１）ユーザが利用を許可されているアプリケーションと該アプリケーションを利用できる画像処理装置を示すマイパネル情報が保存されているサーバから、ログインしているユーザの前記マイパネル情報を取得するマイパネル情報取得手段と、前記マイパネル情報取得手段により取得したユーザのマイパネル情報に基づいて、前記ユーザが自装置で利用を許可されているアプリケーションが存在するか否かを判断する第1の判断手段と、アプリケーションまたはアプリケーションを利用するためのアプリケーションツールを登録する登録手段と、前記第１の判断手段により、ユーザが自装置で利用を許可されているアプリケーションが存在すると判断された場合、そのアプリケーションが、前記登録手段に登録されあるいはアプリケーションツールが登録されている第１のアプリケーションか、前記登録手段に登録されていないが登録されることによりあるいはアプリケーションツールが登録されることにより利用可能となる第２のアプリケーションかを判断する第２の判断手段と、表示手段と、前記第２の判断手段により、前記アプリケーションが第１のアプリケーションであると判断された場合、該第１のアプリケーションを選択するための第１の選択ボタンを前記表示手段に表示し、前記第２のアプリケーションであると判断された場合、該第２のアプリケーションを選択するための第２の選択ボタンを前記表示手段に表示するとともに、前記第２のアプリケーションまたはアプリケーションツールを外部から取得して前記登録手段に登録する制御手段と、を備えたことを特徴とする画像処理装置。
（２）前記制御手段は、前記第１の選択ボタンと前記第２の選択ボタンを異なる表示形態で表示手段に表示する前項１に記載の画像処理装置。
（３）前記制御手段により前記第２のアプリケーションまたはアプリケーションツールが前記登録手段に登録される前に、前記表示手段に表示された前記第２の選択ボタンが前記ユーザにより選択された場合には、前記制御手段は、第２のアプリケーションまたはアプリケーションツールを登録中であることを表示手段に表示する前項１または２に記載の画像処理装置。
（４）前記制御手段は、第２のアプリケーションまたはアプリケーションツールの登録後は、前記第２の選択ボタンの表示形態を変更する前項１〜３のいずれかに記載の画像処理装置。
（５）前記第１の判断手段は、自装置での利用を許可されていない第３のアプリケーションが存在するか否かを判断し、存在すると判断された場合は、前記制御手段は、前記第３のアプリケーションに対応する第３の選択ボタンを、前記第３のアプリケーションを利用できないことをユーザが認識可能な態様で前記表示手段に表示する前項１〜４のいずれかに記載の画像処理装置。
（６）前記制御手段は、他の画像処理装置からその画像処理装置に登録されているアプリケーションまたはアプリケーションツールについての登録情報を取得し、前記第２の判断手段は、前記取得された登録情報に基づいて、前記ユーザが前記第３のアプリケーションを利用できる他の画像処理装置の有無を判断する前項５に記載の画像処理装置。
（７）前記表示手段に表示された前記第３の選択ボタンが前記ユーザにより選択された場合には、前記制御手段は、ユーザが第３のアプリケーションを利用できる前記他の画像処理装置の情報を表示させる前項６に記載の画像処理装置。
（８）ユーザが利用を許可されているアプリケーションと該アプリケーションを利用できる画像処理装置を示すマイパネル情報が保存されているサーバから、ログインしているユーザの前記マイパネル情報を取得するマイパネル情報取得ステップと、前記マイパネル情報取得ステップにおいて取得した前記ユーザのマイパネル情報に基づいて、ユーザが自装置で利用を許可されているアプリケーションが存在するか否かを判断する第１の判断ステップと、アプリケーションまたはアプリケーションを利用するためのアプリケーションツールを登録手段に登録する登録ステップと、前記第１の判断ステップにおいて、ユーザが自装置で利用を許可されているアプリケーションが存在すると判断された場合、そのアプリケーションが、前記登録手段に登録されあるいはアプリケーションツールが登録されている第１のアプリケーションか、前記登録手段に登録されていないが登録されることによりあるいはアプリケーションツールが登録されることにより利用可能となる第２のアプリケーションかを判断する第２の判断ステップと、前記第２の判断ステップにおいて、前記アプリケーションが第１のアプリケーションであると判断された場合、該第１のアプリケーションを選択するための第１の選択ボタンを表示手段に表示し、前記第２のアプリケーションであると判断された場合、該第２のアプリケーションを選択するための第２の選択ボタンを表示手段に表示するとともに、前記第２のアプリケーションまたはアプリケーションツールを外部から取得して前記登録手段に登録する制御ステップと、を備えたことを特徴とする、画像処理装置が実行するアプリケーション選択用画面の表示制御方法。
（９）ユーザが利用を許可されているアプリケーションと該アプリケーションを利用できる画像処理装置を示すマイパネル情報が保存されているサーバから、ログインしているユーザの前記マイパネル情報を取得するマイパネル情報取得ステップと、前記マイパネル情報取得ステップにおいて取得した前記ユーザのマイパネル情報に基づいて、ユーザが自装置で利用を許可されているアプリケーションが存在するか否かを判断する第１の判断ステップと、アプリケーションまたはアプリケーションを利用するためのアプリケーションツールを登録手段に登録する登録ステップと、前記第１の判断ステップにおいて、ユーザが自装置で利用を許可されているアプリケーションが存在すると判断された場合、そのアプリケーションが、前記登録手段に登録されあるいはアプリケーションツールが登録されている第１のアプリケーションか、前記登録手段に登録されていないが登録されることによりあるいはアプリケーションツールが登録されることにより利用可能となる第２のアプリケーションかを判断する第２の判断ステップと、前記第２の判断ステップにおいて、前記アプリケーションが第１のアプリケーションであると判断された場合、該第１のアプリケーションを選択するための第１の選択ボタンを表示手段に表示し、前記第２のアプリケーションであると判断された場合、該第２のアプリケーションを選択するための第２の選択ボタンを表示手段に表示するとともに、前記第２のアプリケーションまたはアプリケーションツールを外部から取得して前記登録手段に登録する制御ステップと、を画像処理装置のコンピュータに実行させるためのアプリケーション選択用画面の表示制御プログラム。
（１０）前記制御ステップでは、前記第１の選択ボタンと前記第２の選択ボタンを異なる表示形態で表示手段に表示する処理を前記コンピュータに実行させる前項９に記載の表示制御プログラム。
（１１）前記制御ステップにおいて前記第２のアプリケーションまたはアプリケーションツールが前記登録手段に登録される前に、前記表示手段に表示された前記第２の選択ボタンが前記ユーザにより選択された場合には、前記制御ステップでは、第２のアプリケーションまたはアプリケーションツールを登録中であることを表示手段に表示する処理を前記コンピュータに実行させる前項９または１０に記載の表示制御プログラム。
（１２）前記制御ステップでは、第２のアプリケーションまたはアプリケーションツールの登録後は、前記第２の選択ボタンの表示形態を変更する処理を前記コンピュータに実行させる前項９〜１１のいずれかに記載の表示制御プログラム。
（１３）前記第１の判断ステップでは、自装置での利用を許可されていない第３のアプリケーションが存在するか否かを判断し、存在すると判断された場合は、前記制御手段ステップでは、前記第３のアプリケーションに対応する第３の選択ボタンを、前記第３のアプリケーションを利用できないことを前記ユーザが認識可能な態様で前記表示手段に表示する処理を前記コンピュータに実行させる前項９〜１２のいずれかに記載の表示制御プログラム。
（１４）前記制御ステップでは、他の画像処理装置からその画像処理装置に登録されているアプリケーションまたはアプリケーションツールについての登録情報を取得し、前記第２の判断ステップでは、前記取得された登録情報に基づいて、前記ユーザが前記第３のアプリケーションを利用できる他の画像処理装置の有無を判断する処理を前記コンピュータに実行させる前項１３に記載の表示制御プログラム。
（１５）前記表示手段に表示された前記第３の選択ボタンが前記ユーザにより選択された場合には、前記制御ステップでは、ユーザが第３のアプリケーションを利用できる前記他の画像処理装置の情報を表示する処理を前記コンピュータに実行させる前項１４に記載の表示制御プログラム。
【発明の効果】
【００１４】
前項（１）に記載の発明によれば、ログインしたユーザが利用を許可されているアプリケーションと該アプリケーションを利用できる画像処理装置を示すマイパネル情報が、サーバから取得されるとともに、取得されたマイパネル情報に基づいて、ユーザが自装置で利用を許可されているアプリケーションが存在するか否かが判断され、存在すると判断された場合、そのアプリケーションが、登録手段に登録されあるいはアプリケーションツールが登録されている第１のアプリケーションか、登録手段に登録されていないが登録されることによりあるいはアプリケーションツールが登録されることにより利用可能となる第２のアプリケーションかが判断される。第１のアプリケーションであると判断された場合、該第１のアプリケーションを選択するための第１の選択ボタンが表示手段に表示され、第２のアプリケーションであると判断された場合、該第２のアプリケーションを選択するための第２の選択ボタンが表示手段に表示される。同時に、第２のアプリケーションまたはアプリケーションツールが外部から取得され登録手段に登録される。
【００１５】
つまり、アプリケーション又はアプリケーションツールが現在自装置に登録されていて直ちに利用できるアプリケーションを選択するための第１の選択ボタンと、直ちには利用できないが、アプリケーションまたはアプリケーションツールを取得し登録することにより利用できるアプリケーションを選択するための第２の選択ボタンという、ユーザが確実に利用できるアプリケーションの選択ボタンが表示されるから、当該画像処理装置がユーザにとって通常利用する画像処理装置と異なっていても、使い勝手の良い画像処理装置となしうる。
【００１６】
前項（２）に記載の発明によれば、第１の選択ボタンと第２の選択ボタンが異なる表示形態で表示手段に表示されるから、ユーザはこれらの選択ボタンを区別して認識することができる。
【００１７】
前項（３）に記載の発明によれば、第２のアプリケーションまたはアプリケーションツールが登録手段に登録される前に、表示手段に表示された第２の選択ボタンがユーザにより選択された場合には、第２のアプリケーションまたはアプリケーションツールを登録中であることが表示されるから、ユーザはそのことを認識できる。
【００１８】
前項（４）に記載の発明によれば、第２のアプリケーションまたはアプリケーションツールの登録後は、第２の選択ボタンの表示形態が変更されるから、ユーザは第２のアプリケーションまたはアプリケーションツールが登録されたことを認識できる。
【００１９】
前項（５）に記載の発明によれば、ユーザは、自装置での利用を許可されていない第３のアプリケーションを利用できないことを容易に認識できる。
【００２０】
前項（６）に記載の発明によれば、他の画像処理装置の登録情報に基づいて、ユーザが第３のアプリケーションを利用できるか否かを判断できる。
【００２１】
前項（７）に記載の発明によれば、第３の選択ボタンがユーザにより選択された場合には、第３のアプリケーションを利用できる他の画像処理装置の情報が表示されるから、ユーザは第３のアプリケーションを利用可能な他の画像処理装置を認識することができる。
【００２２】
前項（８）に記載の発明によれば、アプリケーション又はアプリケーションツールが現在自装置に登録されていて直ちに利用できるアプリケーションを選択するための第１の選択ボタンと、直ちには利用できないが、アプリケーションまたはアプリケーションツールを取得し登録することにより利用できるアプリケーションを選択するための第２の選択ボタンという、ユーザが確実に利用できるアプリケーションの選択ボタンが表示されるから、当該画像処理装置がユーザにとって通常使用する画像処理装置と異なっていても、使い勝手を良くすることができる。
【００２３】
前項（９）に記載の発明によれば、アプリケーション又はアプリケーションツールが現在自装置に登録されていて直ちに利用できるアプリケーションを選択するための第１の選択ボタンと、直ちには利用できないが、アプリケーションまたはアプリケーションツールを取得し登録することにより利用できるアプリケーションを選択するための第2の選択ボタンという、ユーザが確実に利用できるアプリケーションの選択ボタンを表示する処理を、画像処理装置のコンピュータに実行させることができる。
【００２４】
前項（１０）に記載の発明によれば、第１の選択ボタンと第２の選択ボタンを異なる表示形態で表示手段に表示する処理を、画像処理装置のコンピュータに実行させることができる。
【００２５】
前項（１１）に記載の発明によれば、第２のアプリケーションまたはアプリケーションツールを登録手段に登録する前に、表示手段に表示された第２の選択ボタンがユーザにより選択された場合には、第２のアプリケーションまたはアプリケーションツールを登録中であることを表示する処理を、画像処理装置のコンピュータに実行させることができる。
【００２６】
前項（１２）に記載の発明によれば、第２のアプリケーションまたはアプリケーションツールの登録後に、第２の選択ボタンの表示形態を変更する処理を、画像処理装置のコンピュータに実行させることができる。
【００２７】
前項（１３）に記載の発明によれば、自装置での利用を許可されていない第３のアプリケーションが存在するか否かを判断し、存在すると判断された場合は、第３のアプリケーションに対応する第３の選択ボタンを、第３のアプリケーションを利用できないことをユーザが認識可能な態様で表示手段に表示する処理を、画像処理装置のコンピュータに実行させることができる。
【００２８】
前項（１４）に記載の発明によれば、他の画像処理装置の登録情報に基づいて、ユーザが第３のアプリケーションを利用できるか否かを判断する処理を、画像処理装置のコンピュータに実行させることができる。
【００２９】
前項（１５）に記載の発明によれば、第３の選択ボタンがユーザにより選択された場合には、第３のアプリケーションを利用できる他の画像処理装置の情報を表示する処理を、画像処理装置のコンピュータに実行させることができる。
【図面の簡単な説明】
【００３０】
【図１】この発明の一実施形態に係る画像処理装置が用いられたサーバシステムの構成を示す図である。
【図２】画像処理装置の構成を示すブロック図である。
【図３】マイパネル情報の一例を示す図である。
【図４】ユーザがいずれかの画像処理装置に対してログイン操作を行った後の画像処理装置とマイパネルサーバとの間で行われる通信処理を説明するためのフロートチャートである。
【図５】画像処理装置の操作パネルに表示されたアプリケーション選択画面を示す図である。
【図６】他の画像処理装置の操作パネルに表示されたアプリケーション選択画面を示す図である。
【図７】更に他の画像処理装置の操作パネルに表示されたアプリケーション選択画面を示す図である。
【図８】図７のアプリケーション選択画面に表示された選択ボタンのうち、特定の選択ボタンが押されたときの画面遷移を説明するための図である。
【図９】ユーザがログインした画像処理装置で実行される、前記ユーザのアプリケーション選択画面（マイパネル）を表示するまでの動作を示すフローチャートである。
【発明を実施するための形態】
【００３１】
以下、この発明の実施形態を図面に基づいて説明する。
【００３２】
図１は、この発明の一実施形態に係る画像処理装置が用いられたサーバシステムの構成を示す図である。
【００３３】
このサーバシステムは、複数の画像処理装置１〜３とサーバ４がネットワークを介して相互に接続されてなる。
【００３４】
この実施形態では、画像処理装置１〜３は、コピー機能、プリンタ機能、ファクシミリ機能、スキャナ機能等の複数の機能を有する前述した多機能デジタル画像形成装置であるＭＦＰで構成されている。以下、画像処理装置１〜３をＭＦＰとも記す。
【００３５】
前記サーバ４には、各ユーザ毎に、ユーザが利用可能なアプリケーションと該アプリケーションを利用できるＭＦＰを示すマイパネル情報が保存されている。以下、このサーバ４をマイパネルサーバともいう。このマイパネルサーバ４は、ユーザが利用するアプリケーションが実装されたアプリケーションサーバ（図示せず）とは別のサーバとして構成されているが、アプリケーションサーバとマイパネルサーバ４を兼用しても良い。
【００３６】
図２は、前記ＭＦＰ１〜３の構成を示すブロック図である。なお、各ＭＦＰ１〜３の構成は同一であるので、ＭＦＰ１の構成について説明し、他のＭＦＰ２及び３の構成については説明を省略する。
【００３７】
ＭＦＰ１は、制御部１０と、自動原稿搬送装置１１と、原稿読取部１２と、画像形成部１３と、給紙部１４と、操作パネル１５等を備えている。
【００３８】
前記制御部１０はＭＦＰ１の全体動作を制御するものであり、ＣＰＵ１０１と、ＲＯＭ１０２と、ＲＡＭ１０３と、ＥＥＰＲＯＭ１０４と、記憶部１０５と、ファクシミリ部１０６と、通信インターフェース部（通信Ｉ／Ｆ部と記している）１０７と、カードインターフェース部（カードＩ／Ｆ部と記している）１０８と、認証部１０９等を備えている。
【００３９】
前記ＣＰＵ１０１は、動作プログラムに従って動作することにより、ＭＦＰ１の全体を統括制御し、コピー機能、プリンタ機能、スキャン機能、ファクシミリ機能等の基本機能を使用可能に制御する。また、この実施形態では、図示しないアプリケーションサーバにアクセスして、１個または複数個の所定のアプリケーション（アプリケーション本体とアプリケーション固有の情報）を取得し、この取得したアプリケーションを記憶部１０５等に格納してインストールするとともに、アプリケーションの名称等をＥＥＰＲＯＭ１０４等に登録する。あるいは、サーバ上のアプリケーションを利用するためにアプリケーションに対して設定等を行うためのソフトウェアであるアプリケーションツールを、アプリケーションサーバ等から取得し、この取得したアプリケーションツールを記憶部１０５等に格納してインストールし、アプリケーションツールの名称（アプリケーションツールに対応するアプリケーションの名称）等をＥＥＰＲＯＭ１０４等に登録する。
【００４０】
さらに、ＣＰＵ１０１は、マイパネルサーバ４にアクセスして、ＭＦＰ１にログインしたユーザのマイパネル情報を取得するとともに、取得したマイパネル情報に基づいて、ユーザが自装置で利用を許可されているアプリケーションが存在するか否かを判断したり、ユーザが自装置で利用を許可されているアプリケーションが存在すると判断された場合、そのアプリケーションが、既に登録されあるいはアプリケーションツールが登録されているアプリケーションか、登録されていないが登録されることによりあるいはアプリケーションツールが登録されることにより利用可能となるアプリケーションか等を判断するが、詳細な説明は後述する。
【００４１】
前記ＲＯＭ１０２は、ＣＰＵ１０１の動作プログラム等を格納するメモリである。
【００４２】
前記ＲＡＭ１０３は、ＣＰＵ１０１が動作プログラムに従って動作する際の作業領域を提供するメモリである。
【００４３】
前記ＥＥＰＲＯＭ１０４はデータを書き込み・消去可能な記憶媒体であり、この実施形態では、サーバから取得しインストールされたアプリケーションの名称やアプリケーションツールの名称がＥＥＰＲＯＭ１０４に登録されている。
【００４４】
前記記憶部１０５は、例えばハードディスクドライブ（ＨＤＤ）などの不揮発性の記憶デバイスにより構成されており、前記サーバから取得されたアプリケーション、アプリケーションツールや、スキャナ部１４で読み取られた原稿の画像データや、他の画像形成装置あるいはユーザ端末６等から送信されてきたデータ等が記憶されている。
【００４５】
前記ファクシミリ部１０６は、外部のファクシミリ装置との間でファクシミリ送受信を行うものである。
【００４６】
前記通信インターフェース部１０７は、ネットワーク７を介してサーバ５や他のＭＦＰ２及び３等とデータの送受信を行うための通信手段として機能する。
【００４７】
前記カードインターフェース部１０８は、フラッシュメモリ８等の外部素子を接続するためのインターフェース部である。
【００４８】
前記認証部１０９は、自装置にログインしたユーザの認証を行うものであり、ユーザが入力したＩＤ、パスワード等のユーザ情報と、記憶部１０５等に記憶されているユーザ情報とを照合することにより、ユーザ認証を行う。なお、このユーザ認証は外部サーバにより行われても良い。
【００４９】
前記自動原稿搬送装置１１は、原稿載置部（図示せず）に載置された原稿を原稿読取部１２の読み取り位置へと自動搬送するものである。
【００５０】
前記原稿読取部１２は、前記自動原稿搬送装置１１から搬送された原稿や原稿台（図示せず）に置かれた静止原稿の画像を読み取り、画像データを出力する読み取り手段である。
【００５１】
前記画像形成部１３は、前記原稿読取部１２で読み取られた原稿の画像データや端末装置６から送信されたプリントデータ等を、前記給紙部１４から給紙された印刷用紙に、ユーザにより指示されたモードに従って印刷するものである。
【００５２】
前記操作パネル１５は、各種入力操作等のために利用されるものであり、メッセージや操作画面等を表示するタッチパネル式液晶等からなる表示部１５１と、テンキー、スタートキー、ストップキー等を備えた操作部１５２を備えている。
【００５３】
前記マイパネルサーバ４は汎用のパソコンからなり、ネットワークを介して図１の太線で示すようにＭＦＰ１〜３とマイパネル情報その他のデータの送受信が可能である。また、ＭＦＰ１〜３も図１の細線で示すようにそれぞれ他のＭＦＰとネットワークを介して通信が可能となされており、各ＭＦＰ１〜３は、内部に登録されているアプリケーションまたはアプリケーションツールの名称と、そのライセンス情報（どのユーザでも利用できるアプリケーションか否か）等を他のＭＦＰに通知できるものとなされている。
【００５４】
図３は、マイパネルサーバ４に格納されているあるユーザのマイパネル情報の一例を示す図である。なお、以下の説明及び図面において、アプリケーションを単にアプリともいう。
【００５５】
このマイパネル情報には、ユーザがライセンス等を受けて利用可能なアプリケーションの名称（Ｎａｍｅ）とそのアプリケーションの取得先ないしはアプリケーションを利用するためのアクセス先のＵＲＬ、前記アプリケーションの利用タイプ（Ｔｙｐｅ）、アプリケーションを利用できるＭＦＰのＩＰアドレス（Ｌｉｃｅｎｓｅ）が記述されている。
【００５６】
図３の例では、このユーザはアプリケーションＡ〜Ｄの４個のアプリケーションを利用でき、アプリケーションＡは利用タイプがサーバ型であり、いずれのＭＦＰによっても利用できることが示されている。利用タイプについては後述する。
【００５７】
また、アプリケーションＢは利用タイプがサーバ型であり、記述されたＩＰアドレスからＭＦＰ１とＭＦＰ２によって利用が可能であることが示されている。
【００５８】
また、アプリケーションＣは利用タイプがスタンドアロン型であり、記述されたＩＰアドレスからＭＦＰ１とＭＦＰ２によって利用が可能であることが示されている。
【００５９】
また、アプリケーションＤは利用タイプがスタンドアロン型であり、いずれのＭＦＰによっても利用できることが示されている。
【００６０】
ここで、アプリケーションの利用タイプであるサーバ型とスタンドアローン型について説明する。
【００６１】
サーバ型のアプリケーションとは、アプリケーション（アプリケーション本体及びアプリケーションの設定値等の固有の情報）はサーバ上に存在し、ＭＦＰ１〜３がアプリケーションを取得する必要はない。アプリケーションを利用するためのソフトウェアであるアプリケーションツールを取得し一時的に登録してインストールすることで、このツールを用いてサーバ上のアプリケーションに対して設定等を行うことが可能となる。アプリケーションツールの取得先は、サーバあるいは他のＭＦＰ等、どこであっても良い。
【００６２】
一方、スタンドアロン型のアプリケーションとは、アプリケーションをＭＦＰ１〜３が取得し登録することにより、ＭＦＰ内でアプリケーションの設定等を行い利用するものである。この場合、アプリケーションが登録されるＭＦＰは、ユーザが通常使用するＭＦＰであることが多い。なお、アプリケーションの取得は、アプリケーションサーバから行われても良いし、ＣＤ−ＲＯＭ、ＤＶＤ−ＲＯＭ等の記録媒体の形式で配付されても良い。
【００６３】
次に、図１のサーバシステムの動作を説明する。なお、図１において、各ＭＦＰ１〜３に付した吹き出し表示部に記載されている数字は、ＭＦＰのＩＰアドレスであり、アプリＡ〜Ｄは既に登録されているアプリケーションの種類である。
【００６４】
図１において、ＭＦＰ１はユーザが通常利用するＭＦＰであり、アプリケーションＡを利用するためのアプリケーションツール、アプリケーションＢを利用するためのアプリケーションツール、アプリケーションＣ、アプリケーションＤがいずれも登録され、インストールされている。
【００６５】
また、ＭＦＰ２には、アプリケーションＡを利用するためのアプリケーションツール、アプリケーションＢを利用するためのアプリケーションツール、アプリケーションＣが登録され、インストールされている。
【００６６】
また、ＭＦＰ３には、アプリケーションＢを利用するためのアプリケーションツールが登録され、インストールされている。
【００６７】
ユーザがいずれかのＭＦＰ１〜３に対してログイン操作を行った後のＭＦＰとマイパネルサーバ４との間で行われる通信処理を図４に示す。
【００６８】
ＭＦＰ１〜３において認証が成功するとログインが許可される。ユーザの操作に基づいて、ＭＦＰ１〜３からマイパネルサーバ４に、対応ユーザのマイパネル情報の取得要求が送信される。この要求に応じて、マイパネルサーバ４はデータベースを検索し、対応するユーザのマイパネル情報を抽出して取得要求を行ったＭＦＰ１〜３に送信する。
【００６９】
マイパネル情報を受信したＭＦＰ１〜３は、取得したマイパネル情報に基づいてライセンスを確認すると共に、自装置に登録されているアプリケーションまたはアプリケーションツールについての情報を含むアプリケーション情報を取得し、アプリケーション情報と前記マイパネル情報とを比較する。そして、比較結果に基づいて所定のアプリケーション選択画面を構築し、この構築されたアプリケーション選択画面を操作パネル１５の表示部１５１に表示する。
【００７０】
ユーザがＭＦＰ１にログインした場合、図５のアプリケーション選択画面Ｌ１が表示される。なお、ユーザのマイパネル情報は図３に示したものであるとする。
【００７１】
即ち、ＭＦＰ１にはアプリケーションＡ、アプリケーションＢをそれぞれ利用するためのアプリケーションツール、アプリケーションＣ及びアプリケーションＤが登録されており、ユーザは直ちにこれらのアプリケーションＡ〜Ｄを利用することができる。このため、ユーザのアプリケーション選択画面（マイパネル）として、「Ｃｏｐｙ」選択ボタン、「Ｓｃａｎ」選択ボタンの外に、アプリＡ〜Ｄをそれぞれ選択するための選択ボタン１５３〜１５６が表示される。なお、選択ボタン１５３〜１５６はショートカットも含む概念である。
【００７２】
ユーザが選択ボタン１５３〜１５６のうちのいずれかを選択することで、選択されたアプリケーションが起動され、該アプリケーションを利用することができる。
【００７３】
次に、ユーザがＭＦＰ２にログインした場合について説明する。
【００７４】
ＭＦＰ２にはアプリケーションＡ、アプリケーションＢをそれぞれ利用するためのアプリケーションツール及びアプリケーションＣが登録されており、ユーザは直ちにこれらのアプリケーションＡ〜Ｃを利用することができる。
【００７５】
一方、アプリケーションＤについてはアプリケーションＤを取得すればユーザはこのアプリケーションＤを利用できる。
【００７６】
そこで、この実施形態では図６のアプリケーション選択画面Ｌ２に示すように、アプリケーションＤを選択するための選択ボタン１５６については、直ちに利用できる選択ボタン１５３〜１５５とは色を変えた状態（図６では縦線によるハッチング）で、表示されるものとなされている。
【００７７】
このように、この実施形態では、アプリケーションまたはアプリケーションツールが現在自装置に登録されていて直ちに利用できるアプリケーションを選択するための選択ボタン１５３〜１５５と、直ちには利用できないが、アプリケーションまたはアプリケーションツールを取得し登録することにより利用できるアプリケーションを選択するため選択ボタン１５６が表示され、ユーザが確実に利用できるアプリケーションの選択ボタンが表示されるから、ＭＦＰ２がユーザにとって通常使用するＭＦＰ１と異なっていても、使い勝手の良いＭＦＰとなしうる。
【００７８】
また選択ボタン１５６を直ちに利用できる選択ボタン１５３〜１５５の色とは異なる色で表示することにより、ユーザは、直ちには利用できないがアプリケーションやツールを取得することによりアプリケーションを利用できることを容易に認識することができ、使い勝手が良くなる。なお、色を変えるのではなく、形を変えても良く、要は直ちには利用できないがアプリケーションやツールを取得することでアプリケーションを利用できることをユーザに認識させ得る表示形態であればよい。
【００７９】
また、この実施形態では、アプリケーションＤがＭＦＰ２に登録されていないことを示すために、選択ボタン１５６の外枠が太線で縁取りされている。さらに、アプリケーション選択画面Ｌ２の下部領域には、太枠で表示された選択ボタンに対応するアプリケーションまたはアプリケーションツールが、ＭＦＰ２に登録されていないことを示すメッセージが表示されている。
【００８０】
次に、ユーザがＭＦＰ３にログインした場合について説明する。
【００８１】
ＭＦＰ３には、アプリケーションＢを利用するためのアプリケーションツールが登録されているが、図３のマイパネル情報に示されるように、ライセンスにより、ユーザがアプリケーションＢを利用できるＭＦＰは、ＭＦＰ１及び２に限定されている。このため、ユーザはＭＦＰ３でアプリケーションＢを利用することはできない。
【００８２】
そこで、図７のアプリケーション選択画面Ｌ３に示すように、アプリケーションＢに対応する選択ボタン１５４は、操作できないようグレー表示（図６では斜め線によるハッチング）されている。
【００８３】
また、アプリケーションＣについても、ユーザはＭＦＰ３での利用が許可されていないから、アプリケーションＣに対応する選択ボタン１５５は、やはり操作できないようにグレー表示されている。
【００８４】
アプリケーションＡについては、ＭＦＰ３がアプリケーションツールを取得すればユーザは利用でき、またアプリケーションＤについてもアプリケーションＤを取得すればユーザは利用できる。そこで、この実施形態では、アプリケーションＡを選択するための選択ボタン１５３及びアプリケーションＤを選択するための選択ボタン１５６については、図６の選択画面Ｌ２の選択ボタン１５６の場合と同じく、色を変えた状態（図７では縦線によるハッチング）で、表示されるものとなされている。
【００８５】
また、アプリケーションＡを利用するためのアプリケーションツール、アプリケーションＣ及びアプリケーションＤがＭＦＰ３に登録されていないことを示すため、対応する選択ボタン１５３、１５５及び１５６については、外枠が太線で縁取りされている。
【００８６】
そして、アプリケーション選択画面Ｌ３の下部領域には、太枠で表示された選択ボタンに対応するアプリケーションまたはアプリケーションツールが、ＭＦＰ３に登録されていないこと、及びグレー表示された選択ボタンに対応するアプリケーションを利用できないことを示すメッセージが表示されている。
【００８７】
なお、図７の例では、ユーザが利用できないアプリケーションＢ及びＣに対応する選択ボタン１５４及び１５５をグレー表示するものとしたが、このような選択ボタンを表示しない構成としても良い。しかし、表示形態を変えて表示することで、ユーザはアプリケーションＢ及びＣを利用できないことを、明確に認識することができる利点がある。
【００８８】
さらに、この実施形態では、アプリケーションツールまたはアプリケーションを取得すればユーザが利用できるアプリケーションを選択するための選択ボタン１５３、１５６が表示されている状態で、ＭＦＰ３はバックグランド処理として、アプリケーションまたはアプリケーションツールをサーバ等から取得し一時的に登録する処理を実行するとともに、この選択ボタン１５３、１５６がユーザにより選択された時には、アプリケーションまたはアプリケーションを一時登録中であることを、選択画面中に表示するものとなされている。
【００８９】
即ち、図８（Ａ）にＭＦＰ３の操作パネル１５の表示部１５１に表示された選択画面Ｌ４を示すように、アプリケーションＡを利用するための選択ボタン１５３をユーザが押すと、アプリケーションＡを利用可能であること、及びアプリケーション（ツール）を一時的に登録していることを示すメッセージが、選択画面中に表示されるものとなされており、ユーザはＭＦＰ３が処理中であることを容易に認識することができる。なお、取得及び登録に時間がかかる場合は、処理終了までの時間が長いことを併せて表示しても良い。
【００９０】
また、アプリケーション（ツール）の取得・一時登録が完了したときには、図８（Ｂ）の選択画面Ｌ５に示すように、対応する選択ボタン１５３の色等の表示形態を、完了前の表示形態とは異にして表示するものとなされている。図８（Ｂ）の選択画面Ｌ５では、格子状ハッチングを付して表示形態が変化したことを示している。
【００９１】
さらにこの実施形態では、ユーザが利用できないアプリケーションを示す選択ボタン（例えば図７の選択画面Ｌ３における選択ボタン１５４、１５５）が表示されている状態で、ＭＦＰ３は、バックグランド処理として、ユーザがそのアプリケーションを利用できるＭＦＰを検索する処理が実行される。つまり、ＭＦＰ３は他の１個または複数個の所定のＭＦＰから、そのＭＦＰに登録されているアプリケーションまたはアプリケーションツールについての登録情報を取得し、取得された登録情報に基づいて、ユーザがそのアプリケーションを利用できる他のＭＦＰの有無を判断する。登録情報を取得するＭＦＰは予め設定された範囲のＭＦＰに対して行っても良いし、マイパネル情報に記述されたＭＦＰの情報に基づいて行っても良い。
【００９２】
また、ＭＦＰ３において、ユーザが利用できないアプリケーションを示す選択ボタン１５４または１５５がユーザにより選択された時には、前記他のＭＦＰの検索結果に基づいて、ユーザがそのアプリケーションを利用できるＭＦＰを示す情報を表示するものとなされている。
【００９３】
即ち、図８（Ｃ）にＭＦＰ３に表示された選択画面Ｌ６を示すように、アプリケーションＢに対応する選択ボタン１５４をユーザが押すと、アプリケーションＢを利用不可であること、及びアプリケーションＢを利用できる他のＭＦＰを示すメッセージが、選択画面中に表示されるものとなされており、ユーザはいずれのＭＦＰでアプリケーションＢを利用できるかを、容易に認識することができる。アプリケーションＢを利用できる他のＭＦＰが複数存在する場合は、少なくとも１個表示すればよい。この場合、各ＭＦＰに位置情報を持たせておき、ユーザがログインしているＭＦＰに最も近い位置にあるＭＦＰを表示しても良い。なお、利用できる他のＭＦＰがないときは、その旨を表示しても良い。また、ユーザがログインしたＭＦＰで利用できないアプリケーションの選択ボタンが複数存在するとともに、その中に他のＭＦＰで利用できるアプリケーションと他のＭＦＰでも利用できないアプリケーションのいずれもが存在する場合、他のMFPで利用できるアプリケーションと他のMFPでも利用できないアプリケーションの選択ボタンの表示形態を異ならせても良い。
【００９４】
図９は、ユーザがログインしたMFP１〜３で実行される、前記ユーザのアプリケーション選択画面（マイパネル）を表示するまでの動作を示すフローチャートである。
【００９５】
なお、この動作は、MFP１〜３のＣＰＵ１０１がＲＯＭ１０２等の記録媒体に記録された動作プログラムに従って動作することにより実行される。
【００９６】
ユーザのログイン操作に対し、ステップＳ０１でユーザ認証を行いログインを許可すると、ステップＳ０２で、マイパネルサーバ４に接続して、サーバ４からマイパネル情報を取得する。
【００９７】
次いで、ステップＳ０３で、マイパネル情報に記述された最初のアプリケーションについて、ユーザが自装置で使用できるライセンスを保有しているかどうかを判断する。保有していれば（ステップＳ０３でＹＥＳ）、ステップＳ０４では、自装置にこのアプリケーション又はこのアプリケーションを利用するためのアプリケーションツールが登録されているかどうかを判断する。
【００９８】
登録されていれば（ステップＳ０４でＹＥＳ）、ステップＳ０５で、すぐに利用できるアプリケーションであることを認識したのち、ステップＳ１４に進む。
【００９９】
ステップＳ０３で、ユーザが自装置で使用できるライセンスを保有していなければ（ステップＳ０３でＮＯ）、ステップＳ１１で、自装置に利用ユーザ制限のないライセンスが登録されているかどうかを判断する。
【０１００】
ライセンス登録されていれば（ステップＳ１１でＹＥＳ）、ステップＳ０６に進む。一方、ステップＳ０４で、自装置にアプリケーション又はアプリケーションツールが登録されていない場合も（ステップＳ０４でＮＯ）、ステップＳ０６に進む。
【０１０１】
ステップＳ０６では、このアプリケーションの利用タイプはサーバ型かどうかを判断する。サーバ型であれば（ステップＳ０６でＹＥＳ）、ステップＳ０７で、一時登録できるサーバ型アプリケーションであることを認識したのち、ステップＳ０８で、アプリケーションサーバ上のアプリケーションを利用するためのアプリケーションツールの取得から一時登録、セットアップ（インストール）までの処理を行う。この処理はバックグラウンドで実行され、該処理の終了を待たずステップＳ１４に進む。
【０１０２】
ステップＳ０６で、アプリケーションの利用タイプがサーバ型でない場合は（ステップＳ０６でＮＯ）、ステップＳ０９で、一時登録できるスタンドアロン型アプリケーションであると認識したのち、ステップＳ１０で、アプリケーションの取得・一時登録からセットアップまでの処理を行う。この処理はバックグラウンドで実行され、該処理の終了を待たずステップＳ１４に進む。
【０１０３】
ステップＳ１１で、自装置に利用ユーザ制限のないライセンスが登録されていなければ（ステップＳ１１でＮＯ）、ステップＳ１２で、自装置からは利用できないアプリケーションであると認識したのち、ステップＳ１３で、所定の他のMFPから登録情報換言すれば登録されているアプリケーション及びアプリケーションツールの名称とそのライセンス情報（どのユーザでも利用できるアプリか否か）を取得し、ユーザが利用可能なMFPを検索する処理を実行する。この処理はバックグラウンドで実行され、該処理の終了を待たずステップＳ１４に進む。
【０１０４】
ステップＳ１４では、マイパネル情報に次のアプリケーションが存在しているかどうかを判断し、存在していれば（ステップＳ１４でＹＥＳ）、ステップＳ０３に戻って、ステップＳ０３〜１３の処理を繰り返す。次のステップが存在しなければ（ステップＳ１４でＮＯ）、ステップＳ１５で、操作パネル１５の表示部１５１に、アプリケーション選択ボタンが配置されたアプリケーション選択画面を表示する。アプリケーション選択ボタンは、前述したように、自装置にアプリケーション又はツールが登録されている場合と、アプリケーションまたはツールを取得して一時登録する場合と、ユーザが利用できない場合のそれぞれに応じて、異なる表示形態で表示される。また、アプリケーションまたはツールの取得及び一時登録が完了したときは、対応する選択ボタンの表示形態が変更される。
【符号の説明】
【０１０５】
１〜３  ＭＦＰ（画像処理装置）
４      マイパネルサーバ
１５    操作パネル
１５１  表示部
１０    制御部
１０１  ＣＰＵ
１０２  ＲＯＭ
１０４  ＥＥＰＲＯＭ
１０５  記憶部
１０７  通信インターフェース部
１５３〜１５６  選択ボタン
【図１】
2012168820.tif 000003
【図２】
2012168820.tif 000004
【図３】
2012168820.tif 000005
【図４】
2012168820.tif 000006
【図５】
2012168820.tif 000007
【図６】
2012168820.tif 000008
【図７】
2012168820.tif 000009
【図８】
2012168820.tif 000010
【図９】
2012168820.tif 000011